【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
画像表示部と、該画像表示部の少なくとも１辺に沿って隣接する他部とを含む電子表示装置と、
前記電子表示装置に隣接して配置されるカバーであって、前記表示装置の前記画像表示部に隣接して配置される第１の部分と、前記表示装置の前記他部に隣接して配置される第２の部分とを含み、前記カバーの前記第１の部分及び前記第２の部分が光学特性を含み、該光学特性は、前記表示装置が画像を表示していない時には、ベゼルの無い均一なカバーの外観を呈するように選択され、前記第１の部分の光学特性が、前記電子表示装置の前記画像表示部に表示される一画像又は複数画像の透過に関しても選択される、カバーと、
を含む、ベゼルの無い電子ディスプレイ。
【請求項２】
前記第２の部分の光学特性が、前記表示装置の前記他部の可視性を実質的に低下させるよう選択される、請求項１記載の電子ディスプレイ。
【請求項３】
前記第２の部分が不透明である、請求項１記載の電子ディスプレイ。
【請求項４】
前記第２の部分が不透明コーティングを含む、請求項１記載の電子ディスプレイ。
【請求項５】
前記第２の部分が、画像を表示していない時の前記画像表示部のＲＧＢ色彩値と同じＲＧＢ色彩値を含む不透明材料を含む、請求項３記載の電子ディスプレイ。
【請求項６】
前記第１の部分がティントを含む、請求項１記載の電子ディスプレイ。
【請求項７】
前記カバーが単一のプラスチックシートを含み、前記第１の部分及び前記第２の部分が前記シートの異なる領域を構成する、請求項１記載の電子ディスプレイ。
【請求項８】
前記第１の部分が、該第１の部分を透過する一画像又は複数画像の色彩値の変化を低減するようにニュートラルティントを含む、請求項７記載の電子ディスプレイ。
【請求項９】
前記第２の部分が不透明コーティングを含む、請求項７記載の電子ディスプレイ。
【請求項１０】
前記電子表示装置が液晶装置を含む、請求項１記載の電子ディスプレイ。
【請求項１１】
前記カバーが平坦な外形を有する、請求項１記載の電子ディスプレイ。
【請求項１２】
画像表示部と、該画像表示部に隣接する他部とを含む電子表示装置と、
光を透過する第１の部分を含むカバーと、
開放端を含む囲壁であって、該囲壁内に前記電子表示装置が取り付けられ、前記カバーがベゼルの無い前記囲壁の前記開放端を閉止し、前記カバーの前記第１の部分が前記表示装置の前記画像表示部を覆う、囲壁と、
を含む、ベゼルの無い電子ディスプレイ。
【請求項１３】
前記カバーが、前記電子表示装置の前記他部を覆うよう配置された前記第１の部分を囲む第２の部分を含み、前記第１の部分及び前記第２の部分がそれぞれ異なる光学特性を含む、請求項１２記載のディスプレイ。
【請求項１４】
前記カバーの前記第２の部分の光学特性が、前記電子表示装置の前記他部を部分的に又は完全にマスキングするよう選択される、請求項１３記載のディスプレイ。
【請求項１５】
前記第１の部分及び前記第２の部分の光学特性が、前記画像表示部が画像を表示していない時に均一な外観を呈するよう選択される、請求項１４記載のディスプレイ。
【請求項１６】
画像表示部を含む主表示装置と、
前記主表示装置の前記画像表示部を縁取る、該画像表示部の外側のボーダー部と、
前記主表示装置の画像表示の有無から独立して、ディスプレイ装置の前記ボーダー部において少なくとも１つの画像を表示する副表示装置と、
を含むディスプレイ装置。
【請求項１７】
画像表示部と、該画像表示部の少なくとも１辺に沿って隣接する他部とを含む主電子表示装置と、
前記主電子表示装置に隣接して配置されるカバーであって、前記主表示装置の前記画像表示部に隣接して配置される第１の部分と、前記表示装置の前記他部に隣接して配置される第２の部分とを含み、前記カバーの前記第１の部分及び前記第２の部分が光学特性を含み、該光学特性は、前記表示装置が画像を表示していない時には、ベゼルの無い均一なカバーの外観を呈するように選択され、前記第１の部分の光学特性が、前記画像表示部に表示される一画像又は複数画像の透過に関しても選択される、カバーと、
前記主表示装置の画像表示の有無から独立して、前記カバーの前記第２の部分内に位置する領域内に少なくとも１つの画像を表示する副表示装置と、
を含む、ベゼルの無い電子ディスプレイ。
【請求項１８】
前記副表示装置が固定画像を表示する、請求項１７記載の電子ディスプレイ。
【請求項１９】
前記副表示装置が少なくとも１つのロゴを表示する、請求項１７記載の電子ディスプレイ。
【請求項２０】
前記副表示装置が、光源と、固定画像を定める構造とを含む、請求項１７記載の電子ディスプレイ。
【請求項２１】
前記副表示装置の前記光源が液晶装置を含む、請求項２０記載の電子ディスプレイ。
【請求項２２】
前記副表示装置の前記光源が発光ダイオードを含む、請求項２０記載の電子ディスプレイ。
【請求項２３】
前記副表示装置によって表示される前記固定画像を定める前記構造が、前記光源を覆う前記固定画像を定める複数の対比的な光学特性を含む、請求項２０記載の電子ディスプレイ。
【請求項２４】
前記光源が液晶装置を含み、前記固定画像を定める前記構造が前記液晶装置の一部を含む、請求項２０記載の電子ディスプレイ。
【請求項２５】
第１の部分及び第２の部分を含むカバーを、画像表示部と該画像表示部の少なくとも１辺の一部に沿って延在する他部とを含む表示装置に組み付けて、前記カバーの前記第１の部分が前記画像表示部を覆い、且つ、前記カバーの前記第２の部分が前記表示装置の前記他部を覆うようにすることと、
前記表示装置の前記画像表示部が画像を表示していない時に前記カバーが均一な外観を呈するように、前記第１の部分及び前記第２の部分の光学特性を選択することと、
を含む、ベゼルレス電子ディスプレイを提供する方法。
【請求項２６】
画像表示部と、該画像表示部の少なくとも１辺に沿って隣接する他部とを含む電子表示装置と、
前記電子表示装置を含むアセンブリ内に取り付けられ前記電子表示装置に隣接して配置されるカバーであって、前記表示装置の前記画像表示部に隣接して配置される第１の部分と、前記表示装置の前記他部に隣接して配置される第２の部分とを含み、前記カバーの前記第１の部分及び前記第２の部分が光学特性を有し、該光学特性は、前記表示装置が画像を表示していない時に、ベゼルの無い均一なカバーの外観を呈するように選択され、前記第１の部分の光学特性が、前記電子表示装置の前記画像表示部に表示される一画像又は複数画像の透過に関しても選択される、カバーと、
を含む、ベゼルの無い電子ディスプレイ。
【請求項２７】
開放端を含む囲壁を含み、該囲壁内に前記電子表示装置が取り付けられ、前記カバーがベゼルの無い前記囲壁の前記開放端を閉止する、請求項２６記載の電子ディスプレイ。
【請求項２８】
前記カバーが前記電子表示装置に取り付けられ、前記アセンブリの全て又は一部を構成する、請求項２７記載の電子ディスプレイ。
【請求項２９】
前記アセンブリが前記囲壁を更に含む、請求項２８記載の電子ディスプレイ。
【請求項３０】
前記表示装置に取り付けられる別個のフレームを含み、前記カバー、前記別個のフレーム及び前記表示装置が取り付けられて前記アセンブリの全て又は一部を構成する、請求項２６記載の電子ディスプレイ。
【請求項３１】
前記アセンブリの一部を構成する囲壁を含み、該囲壁が、ベゼルの無いカバーによって閉止される開放端を含む、請求項３０記載の電子ディスプレイ。
【請求項３２】
画像表示部と、該画像表示部の少なくとも１辺に沿って隣接する他部とを有する電子表示装置と、
前記電子表示装置に隣接して配置されるカバーであって、前記表示装置の前記画像表示部に隣接して配置され光学特性を有する第１の部分と、前記表示装置の前記他部に隣接して配置され光学特性を有する第２の部分とを含み、前記カバーの前記第１の部分及び前記第２の部分の光学特性が、前記表示装置が画像を表示していない時には、ベゼルの無い均一なカバーの外観を呈するように選択され、前記第１の部分の光学特性が、前記電子表示装置の前記画像表示部に表示される画像の透過に関しても選択される、カバーと、
を含む、ベゼルの無い電子ディスプレイ。
【請求項３３】
画像表示部と、該画像表示部の少なくとも１辺に沿って隣接する他部とを有する電子表示装置と、
前記電子表示装置に隣接して配置されるカバーであって、前記表示装置の前記画像表示部に隣接して配置され光学特性を有する第１の部分と、前記表示装置の前記他部に隣接して配置され光学特性を有する第２の部分とを含み、前記カバーの前記第１の部分及び前記第２の部分の光学特性が、前記表示装置が暗い時に、ベゼルの無い均一なカバーの外観を呈するように選択され、前記第１の部分の光学特性が、前記電子表示装置の前記画像表示部に表示される画像の透過に関しても選択される、カバーと、
を含む、ベゼルの無い電子ディスプレイ。
【請求項３４】
画像表示部を含む電子表示装置と、
少なくとも一部が光を透過するカバーと、
開放端を含む囲壁であって、該囲壁内に前記電子表示装置が取り付けられ、前記カバーがベゼルの無い前記囲壁の前記開放端を閉止し、前記カバーの光を透過する部分が前記表示装置の前記画像表示部に隣接する、囲壁と、
を含む、ベゼルの無い電子ディスプレイ。